(57)【要約】【課題】切断時における紙粉の発生を抑え、かつ、厚物のダンボールでも容易に切断することのできるダンボール切断機を提供する。【解決手段】大判のダンボール板Ｄを所定幅のダンボール片ｄに切断する切断機であって、外周端部に、略半円状の刃先部１ａを複数、均等に設けて構成したスリッター１を、低速回転させながら前方へ低速走行させ、固定台２上に固定したダンボール板Ｄを、前記刃先部１ａで押し切り、ダンボール片ｄに切断する。【選択図】      図１
2004291216.tif 000002
【特許請求の範囲】
【請求項１】
大判のダンボール板（Ｄ）を所定幅のダンボール片（ｄ）に切断する切断機であって、外周端部に，略半円状の刃先部（１ａ）を複数，均等に設けて構成したスリッター（１）を，低速回転させながら前方へ高速走行させ，固定台（２）上に固定したダンボール板を，前記刃先部で押し切り，ダンボール片に切断してなるダンボール切断機。
【請求項２】
大判のダンボール板（Ｄ）を所定幅のダンボール片（ｄ）に切断する切断機であって、外周端部に，略半円状の刃先部（１ａ）を複数，均等に設けて構成したスリッター（１）を，同一垂直面上に，上下かつ前後にずらして二つ設け，上スリッター（１Ａ）および下スリッター（１Ｂ）共に低速回転させながら前方へ高速走行させ，固定台（２）上に固定したダンボール板を，下側から前記下スリッターの刃先部で押し切ると共に，上側から前記上スリッターの刃先部で押し切り，ダンボール片に切断してなるダンボール切断機。
【請求項３】
スリッター１の回転速度（周速）と走行速度を同一（比例制御）にする事により刃物と切断材との間でスリップの発生が抑制され、刃物の発熱が少なく、刃物の耐久性を高めたことを特徴とする請求項１記載のダンボール切断機。
【請求項４】
スリッター１が同一円周上に小円形の刃先部１ａを付設し、ダウンカットにより食い込みを容易にしたことを特徴とする請求項２記載のダンボール切断機。
【請求項５】
スリッター（１）に対して進退動自在とし、前進動した状態で、研磨材（１３ａ）を前記スリッターの刃先部（１ａ）に当接させ、前記スリッターを回転させることによって、該スリッターの刃先部を研磨する研磨機構（１３）を設けてなる請求項１または２に記載のダンボール切断機。
【発明の詳細な説明】
【０００１】
【発明の属する技術分野】本発明は、切断時における紙粉の発生を抑えることができ、かつ、薄物のみならず厚物のダンボールでも容易に切断することのできるダンボール切断機に関するものである。
【０００２】
【従来の技術】従来、ダンボールを切断する機械として、チップソーや丸スリッターを使用したものが存在する。チップソーは連続的な高速回転、丸スリッターは回転軸に刃先を接触させ、従動回転により、アッパーカットにて切断する。そのため、厚物のダンボールを切断する場合、材料を押しつぶし、切断が困難であった。
【０００３】
【発明が解決しようとする課題】しかし、チップソーによるものは、ダンボール切断時に大量の紙粉が発生するので、作業環境が悪化すると共に、多くの清掃作業を必要とし、作業効率が低下するといった問題がある。また、丸スリッターによるものは、厚物のダンボールを切断することができないといった問題がある。
【０００４】
本発明はこうした点に鑑み創案されたもので、切断時における紙粉の発生を抑え、かつ、厚物のダンボールでも容易に切断することのできるダンボール切断機を提供することを課題とする。
【０００５】
【課題を解決するための手段】図１乃至図５を参照して説明する。第一の発明に係るダンボール切断機は、大判のダンボール板Ｄを所定幅のダンボール片ｄに切断する切断機であって、外周端部に、略半円状の刃先部１ａを複数、均等に設けて構成したスリッター１を、低速回転させながら前方へ高速走行させ、固定台２上に固定したダンボール板Ｄを、前記刃先部１ａで押し切り、ダンボール片ｄに切断してなるものである。
【０００６】
第二の発明に係るダンボール切断機は、大判のダンボール板Ｄを所定幅のダンボール片ｄに切断する切断機であって、外周端部に、略半円状の刃先部１ａを複数、均等に設けたスリッター１を、同一垂直面上に、上下かつ前後にずらして二つ設け、上スリッター１Ａおよび下スリッター１Ｂ共に低速回転させながら前方へ高速走行させ、固定台２上に固定したダンボール板Ｄを、下側から前記下スリッター１Ｂの刃先部１ａで押し切ると共に、上側から前記上スリッター１Ａの刃先部１ａで押し切り、ダンボール片ｄに切断してなるものである。
【０００７】
第三の発明に係るダンボール切断機は、第二の発明において、スリッター１の回転速度（周速）と走行速度を同一（比例制御）にする事により刃物と切断材との間でスリップの発生が抑制され、刃物の発熱が少なく、刃物の耐久性を高めたことを特徴とするものである。
【０００８】
第四の発明に係るダンボール切断機は、第二の発明において、スリッター１が同一円周上に小円形の刀先部１ａを付設し、ダウンカットにより食い込みを容易にしたことを特徴とするものである。
【０００９】
第五の発明に係るダンボール切断機は、第一または第二の発明に、スリッター１に対して進退動自在とし、前進動した状態で、研磨材１３ａを前記スリッター１の刃先部１ａに当接させ、前記スリッター１を回転させることによって、当該スリッター１の刃先部１ａを研磨する研磨機構１３を設けてなるものである。
【００１０】
【発明の実施の形態】本発明に係るダンボール切断機の実施形態を、図１乃至図５に示す。これは、大判で厚物のダンボール板Ｄを所定幅のダンボール片ｄに切断する切断機であり、二つのスリッター１を設けている。この二つのスリッター１は、それぞれ外周端部に、略半円状の刃先部１ａを四片、等間隔で均等に設けて構成し、同一垂直面上において、上下かつ前後にずらして相互に干渉しないように設けている。本実施形態では、下スリッター１Ｂを前方へ設け、上スリッター１Ａをそれより後方に設けている。
【００１１】
上スリッター１Ａと下スリッター１Ｂは、スリッター走行モーター７によって回転する駆動スプロケット８とテンション９および両者間に懸架したチェーン１０によって前後移動するスライダー５に固定している。このスライダー５はレール６に沿って走行する。また、上スリッター１Ａは上スリッターモーター１１によって回転し、下スリッター１Ｂは下スリッターモーター１２によって回転する。また、固定台２上に載置したダンボール板Ｄは、押えシリンダー４によって上下動する押えバー３で固定する。
【００１２】
こうした構成において、上スリッター１Ａおよび下スリッター１Ｂを、共に、低速回転させながら前方へ高速走行させ、固定台２上に固定したダンボール板Ｄを、まず、往路切断の場合、その下側から、下スリッター１Ｂの刃先部１ａで押し切り、続いて、その上側から、上スリッター１Ａの刃先部１ａで押し切る。これにより、ダンボール板Ｄを所定幅のダンボール片ｄに切断する。復路の場合、動きはこの逆になる。スリッターモーターも逆転させ、常にダウンカットにて切断する。
【００１３】
このダンボール切断機は、略半円状の刃先部１ａを有するスリッター１によってダンボール板Ｄを押し切るので、紙粉が殆ど発生しない。また、薄物はもとより、厚物のダンボールでも容易に切断することができる。この押し切りという切断方法は、図５に示すように、スリッター１を低速回転させながら、その刃先部１ａをダンボール板Ｄに押し付けて切断するものであり、従来のチップソーのように連続回転するものや、丸スリッターのように、駆動軸に対して従動回転して切断するものとは異なる。
【００１４】
また、このダンボール切断機は、ダンボール板Ｄを、下スリッター１Ｂと上スリッター１Ａの二つのスリッター１によって切断するので、ダンボール片ｄの上面または下面に切断による返りが発生することもない。
【００１５】
なお、本実施形態のダンボール切断機は、上スリッター１Ａおよび下スリッター１Ｂのそれぞれに対応して研磨機構１３を設けている。各研磨機構１３は、進退動自在であり、研磨材１３ａが、前進動した状態でスリッター１の刃先部１ａに当接する。この状態で、スリッター１を回転させることによって、研磨材１３ａが当該スリッター１の刃先部１ａを研磨する。従って、スリッター１を切断機に取付けたままの状態で、その刃先部１ａを研磨することができる。
【００１６】
【発明の効果】請求項１に記載の発明に係るダンボール切断機は、スリッター１によってダンボール板Ｄを押し切るので、紙粉の発生を抑えることができる。これにより、作業環境を改善することができ、また、清掃作業を簡素化して作業効率の向上を図ることができる。さらに、この切断機は、押し切りによって切断するので、厚物のダンボールでも容易に切断することができる。
【００１７】
請求項２に記載の発明に係るダンボール切断機は、請求項１に記載の発明と同様に、紙粉の発生を抑制して作業環境の改善および作業効率の向上を図ることができる。また、ダンボール板Ｄを、下スリッター１Ｂと上スリッター１Ａの二つのスリッター１によって切断するので、ダンボール片ｄの上面または下面に切断による返りが発生しない。従って、外観の見栄えに優れるダンボール片ｄを提供することができる。
【００１８】
請求項３の発明に係るダンボール切断機は、請求項２の発明において、スリッター１の回転速度（周速）と走行速度を同一（比例制御）にする事により刃物と切断材との間でスリップの発生が抑制され、刃物の発熱が少なく、刃物の耐久性を高めたことを特徴とするもので、これにより作業効率を高めることが出来る。
【００１９】
請求項４の発明に係るダンボール切断機は、請求項２の発明において、スリッター１が同一円周上に小円形の刃先部１ａを付設し、ダウンカットにより食い込みを容易にしたことを特徴とするもので、これにより作業効率を高めることが出来る。
【００２０】
請求項５に記載の発明に係るダンボール切断機は、請求項１または２に記載の発明において、進退動して、スリッター１の刃先部１ａを研磨する研磨機構１３を設けているので、スリッター１を取外すことなく、取付けたままの状態でその刃先部１ａを研磨することができる。これにより、作業効率をさらに高めることができる。
【図面の簡単な説明】
【図１】本発明に係るダンボール切断機の実施形態を示す側面図である。
【図２】図１に示す切断機の正面図である。
【図３】図１に示す切断機の要部拡大側面図である。
【図４】図１に示す切断機の要部拡大正面図である。
【図５】図１に示す切断機の切断方法を示す説明図である。
【符号の説明】
１      スリッター
１ａ    刃先部
１Ａ    上スリッター
１Ｂ    下スリッター
２      固定台
３      押えバー
４      押えシリンダー
５      スライダー
６      レール
７      スリッター走行モーター
８      駆動スプロケット
９      テンション
１０    チェーン
１１    上スリットモーター
１２    下スリットモーター
１３    研磨機構
１３ａ    研磨材
Ｄ      ダンボール板
ｄ      ダンボール片
【図１】
2004291216.tif 000003
【図２】
2004291216.tif 000004
【図３】
2004291216.tif 000005
【図４】
2004291216.tif 000006
【図５】
2004291216.tif 000007